(57)【特許請求の範囲】
【請求項１】
設備に設置されている外部装置と、前記外部装置と通信を行う携帯端末とを備え、使用者が浴光した光量を管理する浴光システムであって、
前記外部装置は、光量に関する情報を前記携帯端末に送信し、
前記携帯端末は、
前記外部装置と通信が確立されている場合に、前記情報を前記外部装置から受信し、前記情報から光量の累積値を算出する端末側制御部と、
前記端末側制御部が算出した前記累積値を報知する報知部とを有し、
前記端末側制御部は、前記外部装置との通信が確立されていない場合に、前記携帯端末の位置情報を取得し、前記位置情報と前記位置情報に対応する時刻情報とをサーバに送信し、現在位置が屋内に存在するか否かを示す情報を前記サーバから取得し、前記サーバから取得した現在位置が屋内に存在するか否かを示す情報に基づいて、現在位置が屋内に存在すると判断した場合、屋内の場所に対応する光量の追加の累積値を算出し、前記追加の累積値を前記累積値に加算することにより新たな光量の累積値を算出する
浴光システム。
【請求項２】
サーバと、前記サーバと通信を行う携帯端末とを備え、使用者が浴光した光量を管理する浴光システムであって、
前記サーバは、
前記携帯端末から前記携帯端末の位置情報及び前記位置情報に対応する時刻情報を取得し、
設備に設置されている外部装置と前記携帯端末との間で通信が確立されていない場合に、前記位置情報及び前記時刻情報に対応する天候情報を外部から取得し、
前記携帯端末の前記位置情報、前記時刻情報及び前記天候情報から、光量の推定累積値を算出し、
前記携帯端末に前記推定累積値に関する情報を送信する
浴光システム。
【請求項３】
さらに、前記外部装置を備え、
前記外部装置は、光量に関する情報を前記携帯端末に送信し、
前記携帯端末は、
前記外部装置と通信が確立されている場合に、光量に関する情報を前記外部装置から受信し、光量に関する情報から準累積値を算出する端末側制御部を有し、
前記端末側制御部は、前記推定累積値と前記準累積値とを加算して累積値を算出する
請求項２記載の浴光システム。
【請求項４】
設備に設置されている外部装置と、前記外部装置と通信を行う携帯端末とを備え、使用者が浴光した光量を管理する浴光システムであって、
前記外部装置は、
周囲の光量を検知する検知部と、
前記検知部が検出した光量に関する情報を前記携帯端末に送信する通信部とを有し、
前記携帯端末は、
前記外部装置と通信が確立されている場合に、前記情報を前記外部装置から受信し、前記情報から光量の累積値を算出する端末側制御部を有し、
前記端末側制御部は、前記外部装置との通信が確立されていない場合に、前記携帯端末の位置情報を取得し、前記位置情報と前記位置情報に対応する時刻情報とをサーバに送信し、現在位置が屋内に存在するか否かを示す情報を前記サーバから取得し、前記サーバから取得した現在位置が屋内に存在するか否かを示す情報に基づいて、現在位置が屋内に存在すると判断した場合、屋内の場所に対応する光量の追加の累積値を算出し、前記追加の累積値を前記累積値に加算することにより新たな光量の累積値を算出する
浴光システム。
【請求項５】
発光装置と、前記発光装置と通信を行う携帯端末とを備え、使用者が浴光した光量を管理する浴光システムであって、
前記発光装置は、
光源と、
前記光源の光量に関する情報を算出する制御部と、
前記制御部が算出した前記情報を送信する通信部とを有し、
前記携帯端末は、
前記発光装置と通信が確立されている場合に、前記情報を前記発光装置から受信し、前記情報から光量の累積値を算出する端末側制御部を有し、
前記端末側制御部は、外部装置との通信が確立されていない場合に、前記携帯端末の位置情報を取得し、前記位置情報と前記位置情報に対応する時刻情報とをサーバに送信し、現在位置が屋内に存在するか否かを示す情報を前記サーバから取得し、前記サーバから取得した現在位置が屋内に存在するか否かを示す情報に基づいて、現在位置が屋内に存在すると判断した場合、屋内の場所に対応する光量の追加の累積値を算出し、前記追加の累積値を前記累積値に加算することにより新たな光量の累積値を算出する
浴光システム。
【請求項６】
前記携帯端末は、さらに、前記端末側制御部が算出した前記累積値を報知する報知部を有する
請求項３〜５のいずれか１項に記載の浴光システム。
【請求項７】
前記報知部は、前記累積値が所定の閾値未満である場合に、前記累積値が前記所定の閾値未満であることを報知する
請求項１又は６記載の浴光システム。
【請求項８】
請求項１〜３のいずれか１項に記載の前記外部装置は、周囲の光量を検知する検知部を有している
浴光システム。
【請求項９】
設備に設置されている外部装置と通信を行う携帯端末であって、
前記外部装置と通信が確立されている場合に、前記外部装置が検知した光量に関する情報を前記外部装置から受信し、前記情報から光量の累積値を算出する端末側制御部と、
前記端末側制御部が算出した前記累積値を報知する報知部とを備え、
前記端末側制御部は、前記外部装置との通信が確立されていない場合に、前記携帯端末の位置情報を取得し、前記位置情報と前記位置情報に対応する時刻情報とをサーバに送信し、現在位置が屋内に存在するか否かを示す情報を前記サーバから取得し、前記サーバから取得した現在位置が屋内に存在するか否かを示す情報に基づいて、現在位置が屋内に存在すると判断した場合、屋内の場所に対応する光量の追加の累積値を算出し、前記追加の累積値を前記累積値に加算することにより新たな光量の累積値を算出する
携帯端末。
【請求項１０】
さらに、１日ごとの前記累積値に関する履歴情報を格納する記憶部を備え、
前記端末側制御部は、前記記憶部に格納されている過去の前記履歴情報に基づいて、浴光を促すように前記報知部を介して報知する
請求項９記載の携帯端末。
【請求項１１】
前記報知部は、前記累積値が所定の閾値未満である場合に、前記累積値が前記所定の閾値未満であることを報知する
請求項９又は１０記載の携帯端末。
【発明の詳細な説明】
【技術分野】
【０００１】
本発明は、浴光システム、携帯端末及び発光装置に関する。
【背景技術】
【０００２】
従来、可視光通信を行う可視光（光の一例）を出力する照明用ランプ（光源の一例）を有する照明制御システム（浴光システムの一例）が開示されている（例えば特許文献１参照）。
【先行技術文献】
【特許文献】
【０００３】
【特許文献１】特開２００９−４８９８８号公報
【発明の概要】
【発明が解決しようとする課題】
【０００４】
従来の浴光システムでは、可視光通信を行う光源から光量を算出することはできても、可視光通信を行う光源が無い場所では、使用者が１日に浴びる光量を算出することはできない。そこで、使用者にセンサを装着させて、使用者が１日に浴びる光量を算出することが考えられる。しかし、この場合では、使用者は、センサを備えた装置を装着しなければならず煩わしさに堪えない。このため、照度センサを備えた装置を装着することなく使用者が１日に浴びる光量を算出したいという要望がある。
【０００５】
そこで、本発明は、使用者がセンサを装着することなく、実際に使用者が浴びている１日における総光量を算出することができる浴光システム、携帯端末及び発光装置を提供することを目的とする。
【課題を解決するための手段】
【０００６】
上記目的を達成するため、本発明の一態様に係る浴光システムは、設備に設置されている外部装置と、前記外部装置と通信を行う携帯端末とを備え、使用者が浴光した光量を管理する浴光システムであって、前記外部装置は、光量に関する情報を前記携帯端末に送信し、前記携帯端末は、前記外部装置と通信が確立されている場合に、前記情報を前記外部装置から受信し、前記情報から光量の累積値を算出する端末側制御部と、前記端末側制御部が算出した前記累積値を報知する報知部とを有し、前記端末側制御部は、前記外部装置との通信が確立されていない場合に、前記携帯端末の位置情報を取得し、前記位置情報と前記位置情報に対応する時刻情報とをサーバに送信し、現在位置が屋内に存在するか否かを示す情報を前記サーバから取得し、前記サーバから取得した現在位置が屋内に存在するか否かを示す情報に基づいて、現在位置が屋内に存在すると判断した場合、屋内の場所に対応する光量の追加の累積値を算出し、前記追加の累積値を前記累積値に加算することにより新たな光量の累積値を算出する。
【０００７】
また、本発明の一態様に係る浴光システムは、サーバと、前記サーバと通信を行う携帯端末とを備え、使用者が浴光した光量を管理する浴光システムであって、前記サーバは、前記携帯端末から前記携帯端末の位置情報及び前記位置情報に対応する時刻情報を取得し、設備に設置されている外部装置と前記携帯端末との間で通信が確立されていない場合に、前記位置情報及び前記時刻情報に対応する天候情報を外部から取得し、前記携帯端末の前記位置情報、前記時刻情報及び前記天候情報から、光量の推定累積値を算出し、前記携帯端末に前記推定累積値に関する情報を送信する。
【０００８】
また、本発明の一態様に係る浴光システムは、設備に設置されている外部装置と、前記外部装置と通信を行う携帯端末とを備え、使用者が浴光した光量を管理する浴光システムであって、前記外部装置は、周囲の光量を検知する検知部と、前記検知部が検出した光量に関する情報を前記携帯端末に送信する通信部とを有し、前記携帯端末は、前記外部装置と通信が確立されている場合に、前記情報を前記外部装置から受信し、前記情報から光量の累積値を算出する端末側制御部を有し、前記端末側制御部は、前記外部装置との通信が確立されていない場合に、前記携帯端末の位置情報を取得し、前記位置情報と前記位置情報に対応する時刻情報とをサーバに送信し、現在位置が屋内に存在するか否かを示す情報を前記サーバから取得し、前記サーバから取得した現在位置が屋内に存在するか否かを示す情報に基づいて、現在位置が屋内に存在すると判断した場合、屋内の場所に対応する光量の追加の累積値を算出し、前記追加の累積値を前記累積値に加算することにより新たな光量の累積値を算出する。
【０００９】
また、本発明の一態様に係る浴光システムは、発光装置と、前記発光装置と通信を行う携帯端末とを備え、使用者が浴光した光量を管理する浴光システムであって、前記発光装置は、光源と、前記光源の光量に関する情報を算出する制御部と、前記制御部が算出した前記情報を送信する通信部とを有し、前記携帯端末は、前記発光装置と通信が確立されている場合に、前記情報を前記発光装置から受信し、前記情報から光量の累積値を算出する端末側制御部を有し、前記端末側制御部は、外部装置との通信が確立されていない場合に、前記携帯端末の位置情報を取得し、前記位置情報と前記位置情報に対応する時刻情報とをサーバに送信し、現在位置が屋内に存在するか否かを示す情報を前記サーバから取得し、前記サーバから取得した現在位置が屋内に存在するか否かを示す情報に基づいて、現在位置が屋内に存在すると判断した場合、屋内の場所に対応する光量の追加の累積値を算出し、前記追加の累積値を前記累積値に加算することにより新たな光量の累積値を算出する。
【００１０】
また、本発明の一態様に係る携帯端末は、設備に設置されている外部装置と通信を行う携帯端末であって、前記外部装置と通信が確立されている場合に、前記外部装置が検知した光量に関する情報を前記外部装置から受信し、前記情報から光量の累積値を算出する端末側制御部と、前記端末側制御部が算出した前記累積値を報知する報知部とを備え、前記端末側制御部は、前記外部装置との通信が確立されていない場合に、前記携帯端末の位置情報を取得し、前記位置情報と前記位置情報に対応する時刻情報とをサーバに送信し、現在位置が屋内に存在するか否かを示す情報を前記サーバから取得し、前記サーバから取得した現在位置が屋内に存在するか否かを示す情報に基づいて、現在位置が屋内に存在すると判断した場合、屋内の場所に対応する光量の追加の累積値を算出し、前記追加の累積値を前記累積値に加算することにより新たな光量の累積値を算出する。
【００１１】
また、本発明の一態様に係る発光装置は、前記携帯端末と通信を行う発光装置であって、光源と、周囲の明るさを検出する検知部と、前記検知部が検出した前記光源の光量に関する情報を算出する制御部と、前記制御部が算出した前記情報を前記携帯端末に送信する通信部とを備える。
【発明の効果】
【００１２】
本発明によれば、使用者がセンサを装着することなく、実際に使用者が浴びている１日における総光量を算出することができる。
【図面の簡単な説明】
【００１３】
【図１】実施の形態に係る浴光システムを示す模式図である。
【図２】実施の形態に係る浴光システムを示すブロック図である。
【図３】実施の形態に係る浴光システムの動作を示すフローチャートである。
【図４】実施の形態に係る浴光システムの光量及び累積値と時間との関係を示す概念図である。
【発明を実施するための形態】
【００１４】
以下、本発明の実施の形態について、図面を参照しながら説明する。以下に説明する実施の形態は、いずれも本発明の好ましい一具体例を示すものである。したがって、以下の実施の形態で示される数値、形状、材料、構成要素、構成要素の配置位置及び接続形態などは、一例であって本発明を限定する主旨ではない。よって、以下の実施の形態における構成要素のうち、本発明の最上位概念を示す独立請求項に記載されていない構成要素については、任意の構成要素として説明される。
【００１５】
また、「略＊＊」との記載は、「略同一」を例に挙げて説明すると、全く同一はもとより、実質的に同一と認められるものを含む意図である。
【００１６】
なお、各図は、模式図であり、必ずしも厳密に図示されたものではない。また、各図において、実質的に同一の構成に対しては同一の符号を付しており、重複する説明は省略又は簡略化する。
【００１７】
（実施の形態）
以下、本発明の実施の形態に係る浴光システム、携帯端末及び発光装置について説明する。
【００１８】
［概要］
複雑化した現代の社会では、人のサーカディアンリズムが乱れやすい環境にあるため、サーカディアンリズムが改善し難い環境である。ここで、サーカディアンリズムとは、人間が生理現象として、一定の時刻になると自然に眠くなり、一定時間眠ると自然に目が覚めるという生体リズムが約１日の周期で行われているリズムである。生体リズムに異常をきたすと、睡眠障害、睡眠障害による集中力の低下等、様々な障害が発生する。
【００１９】
このような生体リズムの乱れを改善する方法として、光療法という治療法が知られている。光療法は、太陽光（主に可視光）又は太陽光と同等の光を人間に与えることにより体内時計を調節して生体リズムを整える治療法である。
【００２０】
光療法では、おおよそ太陽が昇りだす時間から午後３時までの間に、約３０００ｌｘの明るさの光を２時間浴びることで、体内時計をリセットしてメリハリのある生体リズムを改善することが知られている。そして、主に、このような光は、人間の眼から取り入れることが効果的であることが知られている。
【００２１】
ここで、１日は２４時間であるのに対し、人の体内時計は必ずしも２４時間ではない。人により体内時計（おおよそ２４〜２５時間と言われている）は異なっている。例えば、１日が２５時間の人の場合では、日を重ねるにしたがって、自然な目覚めの時間や寝入る時間が１日ごとに１時間ずつ遅れてゆく。１日の生体リズムが２５時間となっている人であっても、可視光を浴びることで、体内時計をリセットできることが知られている。つまり、この体内時計のリセットが生体リズムを整える働きを行う。
【００２２】
毎日、浴光すること（人間の眼から光を取り入れること）で、セロトニンと呼ばれるホルモンの分泌量が増加し、夜間になると、セロトニンを糧にメラトニンと呼ばれるホルモンが分泌され、眠気がもよおされる（質の高い睡眠を得ることができる）。このように、光療法を習慣化すれば、生体リズムを健康な状態に整えることができる。
【００２３】
これらのことから、生体リズムが乱れている人や、生体リズムが乱れる恐れがある人等には、所定の期間内に所定の光量を浴びせたい。このため、このような人たちに、所定の期間内に浴びている総光量を知らせたい。また、このような人たちに、１日に浴びる必要のある光量から不足している分の光量（残光量）も知らせたい。
【００２４】
このため、使用者がセンサを装着して光量を計測する方法を考えることができるが、使用者は、センサを備えた装置を装着しなければならず煩わしさに堪えない。
【００２５】
そこで、使用者がセンサを装着することなく、実際に使用者が浴びている１日における総光量を算出することができる浴光システム、携帯端末及び発光装置を提供する。このような、浴光システム、携帯端末及び発光装置を用いれば、所定の期間内に浴びている総光量を把握することができ、１日に浴びる必要のある総光量から残光量を把握することもできる。
【００２６】
［構成］
まず、本実施の形態に係る浴光システム１、携帯端末３及び照明装置５の構成について図１及び図２を用いて説明する。
【００２７】
図１は、本実施の形態に係る浴光システム１を示す模式図である。図２は、実施の形態に係る浴光システム１を示すブロック図である。
【００２８】
図１に示すように、浴光システム１は、使用者が浴光した光量を管理するシステムである。浴光システム１は、携帯端末３及び浴光装置７等を用いて、使用者が浴光した１日の光量から累積値Ｘ（総光量）を算出し、その累積値Ｘを使用者に報知（表示）するシステムである。浴光システム１は、自宅、職場、自宅や職場等に移動する間等において使用することができる。
【００２９】
本実施の形態では、光量は、人が眼から取り入れた光暴露量である。また、累積値Ｘは、所定時間ごとの光量を一律であると仮定した、所定時間の累積光暴露量である。
【００３０】
浴光システム１は、外部装置と、携帯端末３と、サーバ９とを備える。外部装置は、設備に設置されている装置である。例えば、外部装置は、照明装置５（発光装置の一例）、浴光装置７（発光装置の一例）等の発光装置や、ＴＶ６等の装置であり、携帯端末３以外の装置である。また、外部装置は、携帯端末３と通信を行い、光量に関する情報を携帯端末３に送信することができる装置である。このように、外部装置は、建物の壁、天井等の設備に固定されるだけでなく、机等の設備に設置したりする装置も含む。
【００３１】
［照明装置］
照明装置５は、例えば、直管形のＬＥＤランプ、発光モジュールを下に向けた状態で天井に埋設されるダウンライト等であるが、これに限らず、ＴＶ等のように、光を発する装置でもよい。
【００３２】
図２に示すように、照明装置５は、光源５１と、検知部５２と、制御部５３と、通信部５４と、電源部５５とを有する。
【００３３】
光源５１は、いわゆるＳＭＤ（Ｓｕｒｆａｃｅ  Ｍｏｕｎｔ  Ｄｅｖｉｃｅ）型のＬＥＤ素子である。光源５１は、制御回路により制御されて点灯及び消灯を行う。また、光源５１は、制御回路が電源部５５を制御して（電力の供給量を調節することで）調光制御及び調色制御が行われる。制御回路は、例えば、入力された信号に応じて光源５１に供給する電流値等を制御するマイクロコンピュータ、プロセッサ、または専用回路等によって実現される。なお、制御回路は、制御部５３に設けられていてもよく、制御部５３と別の制御回路であってもよい。
【００３４】
検知部５２は、例えば、周囲の光を取り入れることができるように設けられており、周囲の明るさ（光量）を検知することができるセンサである。検知部５２は、例えば、照度センサであり、検知した光量の情報を制御部５３に送信する。
【００３５】
制御部５３は、光源５１、通信部５４、電源部５５等に電気的に接続されている。制御部５３は、検知部５２から送信された光量に関する情報を受信する。制御部５３は、通信部５４を介して断続的に光量に関する情報を携帯端末３に送信する。
【００３６】
なお、例えば、制御部５３は、光源５１の光量を算出することができてもよい。具体的には、例えば、光源５１に直列接続したセンス抵抗における電圧降下に基づき、光源５１に流れる電流を検出する。光源５１の調光度（光量）は、光源５１に流れる電流に対応するため、当該電流に基づいて光源５１の光量を検出する。
【００３７】
なお、例えば、光が差し込み難い部屋等において、周囲の光を検知する必要が無い場合は、光源５１のみの光量を算出するだけで十分である。このため、検知部５２は、照明装置５において必須の構成要素ではない。
【００３８】
通信部５４は、照明装置５が携帯端末３等と無線通信を行うアンテナを備えた装置である。例えば、通信部５４は、ＺｉｇＢｅｅ（登録商標）、Ｗｉ−Ｆｉ（登録商標）、ＢｌｕｅＴｏｏｔｈ（登録商標）などの近距離無線通信機能を有する装置である。
【００３９】
電源部５５は、例えば、電源ボックスである絶縁樹脂製のケースと、当該ケース内に配置された電源回路とを有する。電源回路は、回路基板と、当該回路基板に実装された回路部品とからなる回路ユニットであり、光源５１を点灯（発光）させるための電力を光源５１に供給する。電源部５５は、例えば、電力系統から供給される電力を、整流、平滑及び降圧等して所定レベルの直流電力に変換し、当該直流電力を光源５１に供給する。光源５１は、電源回路から供給される直流電力によって発光する。
【００４０】
電源部５５は、制御部５３により制御されることで、光源５１への電力供給をオン及びオフする。例えば、リモコン等の操作部を介して点灯の操作を受けた場合には、制御部５３は、電源部５５から電力を光源５１に供給し、光源５１を点灯させる。また、操作部が消灯の操作を受けた場合、制御部５３は、電源部５５から光源５１への電力の供給を遮断することで、光源５１を消灯する。
【００４１】
［携帯端末］
携帯端末３は、スマートフォン、タブレット式端末装置等の携帯型の端末機器であり、外部装置と別体である。また、携帯端末３は、端末側通信部３２を介して外部装置と無線通信を行うことができ、携帯端末３が存在している位置の位置情報を取得するＧＰＳ（Ｇｌｏｂａｌ  Ｐｏｓｉｔｉｏｎｉｎｇ  Ｓｙｓｔｅｍ）機能を有し、ＧＰＳ機能を用いて、自己の位置情報を取得する。また、携帯端末３は、ネットワーク８１を介してサーバ９にアクセスすることもできる。
【００４２】
携帯端末３は、端末側制御部３１と、端末側通信部３２と、表示部３３（報知部の一例）と、記憶部３４と、端末側電源部３５とを有する。
【００４３】
端末側制御部３１は、端末側通信部３２、表示部３３、記憶部３４、端末側電源部３５等を制御するための回路等から構成されている。端末側制御部３１には、端末側通信部３２、表示部３３、記憶部３４、端末側電源部３５等が電気的に接続されている。端末側制御部３１は、プロセッサ、またはマイクロコンピュータなど、または専用回路によってこれらの動作を実現する。
【００４４】
端末側制御部３１は、照明装置５や浴光装置７等の外部装置から送信されてくる情報を、端末側通信部３２を介して受信する。具体的には、例えば、端末側制御部３１は、外部装置が照明装置５である場合、照明装置５の制御部５３が端末側通信部３２を介して送信した光量に関する情報を受信する。この際、端末側制御部３１は、光量に関する情報を受信することにより、携帯端末３と照明装置５との間で通信が確立されていると判断する。携帯端末３と照明装置５との間で通信が確立とは、携帯端末３が照明装置５から光量に関する情報を受信できる位置に存在している状態を意味している。なお、外部装置が浴光装置７でも同様に、端末側制御部３１は、端末側通信部３２を介して光量に関する情報を受信する。
【００４５】
また、端末側制御部３１は、照明装置５等から順次送られてくる光量に関する情報に基づいて、光量の累積値Ｘを随時算出する。本実施の形態では、端末側制御部３１は、一日における光量の累積値Ｘの情報を記憶部３４に格納する。なお、端末側制御部３１は、例えば、１日の累積値Ｘに関する履歴情報から、前日に残光量がある場合は、使用者に積極的に浴光を促すように、表示部３３を介してその旨を表示させてもよい。
【００４６】
なお、端末側制御部３１は、外部装置における光量の準累積値Ａｉ、準累積値Ｂｉ、推定累積値Ｃｉ等の情報を記憶部３４に格納してもよい。また、記憶部３４に格納する光量の累積値Ｘ、準累積値Ａｉ、準累積値Ｂｉ及び推定累積値Ｃｉは、例えば、１分、１０分、１時間、半日、１日等の所定時間ごとであってもよい。
【００４７】
端末側制御部３１は、準累積値Ｂｉを算出する際に、屋内の場面（場所）に対応する光量を示すテーブルから、屋内の場面に対応する光量を認定してもよい。なお、端末側制御部３１は、サーバ９から天候情報を得て、記憶部３４に格納されている、位置情報、時刻情報及び天候情報に対応する光量を示すテーブルから、これら情報に対応する光量を認定して、推定累積値Ｃｉを算出してもよい。時刻情報は位置情報に対応する情報であり、天候情報は位置情報及び時刻情報に対応している。
【００４８】
また、端末側制御部３１は、端末側通信部３２を介してネットワーク８１からサーバ９にアクセスし、携帯端末３の位置情報をサーバ９に送信する。
【００４９】
端末側通信部３２は、照明装置５、浴光装置７、サーバ９等と無線通信を行うアンテナを備えた装置である。本実施の形態では、端末側通信部３２は、照明装置５、浴光装置７、サーバ９等から光量に関する情報を受信する。
【００５０】
表示部３３は、液晶ディスプレイ、ＬＥＤディスプレイ、有機ＥＬディスプレイ等のモニタである。表示部３３は、例えば、端末側制御部３１が算出した光量の累積値Ｘを表示したり、１日に必要な光量のうち、あとどの程度の光量を浴びる必要があるのか（残光量）等を表示したりする。
【００５１】
記憶部３４は、端末側制御部３１が実行する制御プログラム、光量の累積値Ｘ、準累積値Ａｉ、準累積値Ｂｉ及び推定累積値Ｃｉ等の情報が格納される記憶装置である。記憶部３４には、準累積値Ｂｉを算出するにあたり、屋内の場面（場所）に対応する光量を示すテーブルが予め格納されている。記憶部３４は、例えば、半導体メモリによって実現される。なお、記憶部３４には、端末側制御部３１によって、１日ごとに使用者が浴光した光量の累積値Ｘ（１日の累積値Ｘに関する履歴情報）が記憶されてもよく、１日ごとに足りていなかった光量（残光量）が記憶されてもよく、位置情報、時刻情報及び天候情報が記憶されてもよい。
【００５２】
記憶部３４には、使用者が浴光した光量を表示部３３に表示するために、１日に必要な光量の累積値Ｘ（後述する所定の閾値）が格納されている。この所定の閾値は、任意に設定することができてもよい。
【００５３】
なお、サーバ９から天候情報を得る場合、記憶部３４には、推定累積値Ｃｉを算出するにあたり、位置情報、時刻情報及び天候情報に対応する光量を示すテーブルが予め格納されていてもよい。
【００５４】
端末側電源部３５は、一次電池や二次電池等のバッテリであるが、例えば、パーソナルコンピュータ等の外部から供給される電源であってもよい。端末側電源部３５は、端末側制御部３１に接続され、端末側制御部３１を介して表示部３３、記憶部３４等の各部に電力を供給する。
【００５５】
［浴光装置］
浴光装置７は、使用者が積極的に浴光を行う際に使用する装置であり、生体リズムを改善する光を出射する。浴光装置７では、例えば、オフィス等におけるデスク、化粧台などに載置した状態で、生体リズムを改善することができる光を浴びることができる。浴光装置７は、光源７１と、電源部７２と、制御部７３と、通信部７４とを有する。ここで、生体リズムを改善することができる光とは、本実施の形態では、青色光を多く含んだ光（青みがかった光）であり、例えば、青色光に白色光を付加した光でもよい。
【００５６】
浴光装置７の光源７１は、通常、青色光及び白色光（生体リズムを改善することができる光）を出射する。浴光装置７の光源７１は、照明装置５の光源５１と同様のＳＭＤ型のＬＥＤ素子であってもよい。浴光装置７の光源７１は、図示しない操作部を介して制御回路により制御されて点灯、消灯、調光及び調色が行われる。
【００５７】
光源７１は、青色光を出射する青色光源と、白色光を出射する白色光源とを有している。ここでいう青色光とは、厳密な意味で青色を意味しているのではなく、通常、青色と見える光を意味している。また、ここでいう白色光とは、厳密な意味で白色を意味しているのではなく、通常、白色と見える光を意味している。
【００５８】
電源部７２は、光源７１を点灯（発光）させるための電力を光源７１に供給する電源回路である。電源部７２は、電力系統から供給される電力を光源７１に供給する。
【００５９】
制御部７３は、通信部７４を介して光源７１から出射する光量に関する情報を断続的に携帯端末３に送信する。制御部７３は、光源７１の光量を算出することができてもよい。具体的には、光源７１に供給する電源部７２の電力量から、光源７１が発する光量を算出する。
【００６０】
このような浴光装置７では、例えば、生体リズムを改善することができる光の量を増加させたい場合は光源７１が出射する光の出力を上げることができ、生体リズムを改善することができる光の量を減少させたい場合は光源７１が出射する光の出力を下げることができてもよい。つまり、使用者の操作により自由に光源７１の出力を調節することができてもよい。
【００６１】
また、浴光装置７は、照明装置５と同様に、周囲の光量を検出する検知部を有していてもよい。
【００６２】
［サーバ］
サーバ９は、ネットワーク８１を介してクラウドサーバ８２にアクセスし、位置情報及び時刻情報に対応する天候情報を取得する一般的なコンピュータである。サーバ９は、サーバ側制御部９１と、情報取得部９２とを有している。
【００６３】
サーバ側制御部９１は、情報取得部９２等を制御するための回路等から構成されている。サーバ側制御部９１は、ネットワーク８１を介してクラウドサーバ８２にアクセスさせて、情報取得部９２に位置情報及び時刻情報に対応する天候情報を取得させる。
【００６４】
サーバ側制御部９１は、情報取得部９２を介して取得した天候情報から、位置情報及び時刻情報に対応する光量に関する情報を抽出し、この情報から推定累積値Ｃｉを算出し、図示しない通信インターフェース、ネットワーク８１を介して携帯端末３に送信する。
【００６５】
なお、サーバ側制御部９１は、携帯端末３が位置情報、時刻情報及び天候情報に対応する光量を示すテーブルを有するとき、天候情報を携帯端末３に送信してもよい。
【００６６】
［動作］
実施の形態１に係る浴光システム１における携帯端末３の動作について、図３を用いて説明する。
【００６７】
図３は、実施の形態に係る浴光システム１の動作を示すフローチャートである。
【００６８】
まず、携帯端末３と外部装置等の照明装置５とを起動させる。携帯端末３は、浴光した光量を算出し、これを表示部３３に表示する専用のアプリケーションを立ち上げる。そして、携帯端末３は、１日における光量の累積値Ｘを算出することができる状態となる。
【００６９】
ここで、使用者は、通常、携帯端末３を所持又は携帯端末３の近くに位置していると考えられる。このため、この浴光システム１では、屋内において、携帯端末３の現在位置に近い場所にある外部装置から送信された光量を使用者が浴びている光量とする。つまり、使用者が携帯端末３を所持していれば、光量の累積値Ｘは、より正確な値となる。また、屋外においては、携帯端末３のＧＰＳ機能を用い、ネットワーク８１を介してサーバ９にアクセスし、位置情報、時刻情報、及び天候情報に対応する光量をサーバ９から得る。つまり、使用者が携帯端末３を所持していれば、屋外においても、浴光した光量を知ることができる。
【００７０】
図３に示すように、まず、携帯端末３の端末側制御部３１は、携帯端末３と外部装置との間で通信が確立されているか否かを判断する（ステップＳ１）。この判断は、携帯端末３が外部装置より送信される光量に関する情報を受信することができるか否かにより行う。携帯端末３と外部装置との間で通信が確立している場合、携帯端末３は、外部装置から光量に関する情報を得ることができるため、ＧＰＳ機能を用いてネットワーク８１を介してサーバ９にアクセスしなくてもよい。
【００７１】
次に、携帯端末３と外部装置との間で通信が確立している場合（ステップＳ１ではＹＥＳ）、携帯端末３は、外部装置より送信される光量に関する情報を受信する（ステップＳ２）。
【００７２】
次に、端末側制御部３１は、外部装置における光量の準累積値Ａｉを算出する（ステップＳ３）。
【００７３】
次に、端末側制御部３１は、準累積値Ａｉと、屋内における光量の準累積値Ｂｉと、後述する推定累積値Ｃｉとを合算し、累積値Ｘ（準累積値Ａｉと準累積値Ｂｉと推定累積値Ｃｉとの合計）を算出する（ステップＳ４）。例えば、ここで、屋内における光量の準累積値Ｂｉ及び推定累積値Ｃｉを得ていない場合は、屋内における光量の準累積値Ｂｉ及び推定累積値Ｃｉを０として光量の累積値Ｘを算出する。なお、Ａｉ、Ｂｉ、Ｃｉにおけるｉは、変数であり、１以上の自然数である。
【００７４】
次に、端末側制御部３１は、表示部３３を介して浴光した光量の累積値Ｘを表示する（ステップＳ５）。
【００７５】
次に、端末側制御部３１は、第１所定時刻を経過しているか否かを判断し、かつ、残光量が所定値以上であるか否かを判断する（ステップＳ６）。第１所定時刻とは、後述する第２所定時刻よりも前の時刻であり、第１所定時刻において残光量が多い場合（残光量が所定値以上の場合）に、使用者に積極的に浴光することを促さないようにするか否かを判断する時刻である。本実施の形態では、例えば、午後２時（１４時）ごろに設定している。これは、人は午後３時までの間に、約３０００ｌｘの明るさの光を２時間以上浴びることが推奨されているため、例えば、その１時間前に１日に必要な光量に満たない分の光量である残光量を算出する。残光量は、１日に必要な光量から、現在の光量の累積値を差し引いた分である残りの光量である。所定値とは、残光量が余りにも多いと短時間で多くの光量を浴びることとなるため、このようなことを防止する閾値である。所定値は、１日に必要な光量の累積値Ｘ未満である。
【００７６】
次に、端末側制御部３１は、第１所定時刻を経過、及び、残光量が所定値以上のうち少なくともいずれかを満たさないと判断した場合（ステップＳ６ではＮＯ）、第２所定時刻を経過しているか否かを判断する（ステップＳ７）。第２所定時刻とは、例えば、どの時刻を設定してもよいが、本実施の形態では、午後３時（１５時）ごろに設定している。これは、太陽が出始める午前から午後３時までの間に、約３０００ｌｘの明るさの光を２時間以上浴びることが推奨されているため、この時間以降の浴光は、浴光した光量の累積値Ｘに含めなくてもよい。
【００７７】
次に、端末側制御部３１は、第２所定時刻を経過していないと判断（ステップＳ７ではＮＯ）すると、ステップＳ１に戻る。
【００７８】
一方、端末側制御部３１は、第２所定時刻を経過していると判断した場合（ステップＳ７ではＹＥＳ）、累積値Ｘが所定の閾値以上であるか否かを判断する（ステップＳ８）。なお、ここで、端末側制御部３１は、例えば、９時から１５時までの光量の累積値Ｘを、１日の累積値Ｘに関する履歴情報として、記憶部３４に履歴情報を格納してもよい。
【００７９】
次に、端末側制御部３１は、累積値Ｘが所定の閾値以上であると判断した場合（ステップＳ８ではＹＥＳ）に、浴光した光量の累積値Ｘを表示部３３に表示する（ステップＳ９）。そして、このフローは、終了する。
【００８０】
また、端末側制御部３１は、累積値Ｘが所定の閾値未満であると判断した場合（ステップＳ８ではＮＯ）に、使用者に積極的な浴光を促すために、１日に必要な光量における残光量を表示部３３に表示させる（ステップＳ１０）。具体的には、ステップＳ３で算出した累積値Ｘを、１日に必要な光量から減算し、１日に必要な光量における残光量を算出する。ここで、端末側制御部３１は、表示部３３に１日に必要な光量における残光量を表示させ、使用者に積極的に浴光するような表示をしてもよい。例えば、「△時間内に○○○ｌｘの光を浴びて下さい」等の表示や音声等の報知を行ってもよい。こうすることで、使用者は、現在、浴びている光量が少ないと認識することができるため、浴光装置７を作動させて１日に必要な光量を浴びることができる。そして、このフローは、終了する。
【００８１】
また、ステップＳ６において、第１所定時刻を経過し、かつ、残光量が所定値未満であると端末側制御部３１が判断した場合（ステップＳ６ではＹＥＳ）、ステップＳ９に進んでもよい。この場合は、残光量が余りにも多いと判断することができるため、短時間で多くの光量を浴びることとなる。このため、ステップＳ１０のように、使用者に積極的に浴光を促すように報知しなくてもよい。なお、ステップＳ６がＹＥＳの場合は、ステップＳ９に進んだ後に、フローは終了するが、ステップＳ６がＹＥＳの場合で、第１所定時刻を経過しても、第２所定時刻まで光量の累積値Ｘを算出し続けてもよい。
【００８２】
また、ステップＳ１において、携帯端末３と外部装置との間で通信が確立していない場合（ステップＳ１ではＮＯ）、端末側制御部３１は、ＧＰＳ機能を用いて、自己（携帯端末３）の位置情報及び時刻情報を取得する（ステップＳ１１）。そして、取得した位置情報及び時刻情報をサーバ９に送信する（ステップＳ１１）。携帯端末３と外部装置との間で通信が確立していない場合とは、携帯端末３（使用者）の現在位置が屋外である場合や、屋内であるが、外部装置が携帯端末３の近くに存在していない場合等である。
【００８３】
次に、端末側制御部３１は、携帯端末３の現在位置が屋内であるか否かの判断を行う（Ｓ１２）。具体的には、サーバ９は、ステップＳ１０で受信した位置情報に基づいて、携帯端末３の現在位置が屋内に存在するか否かの判断を行い、その判断した情報を携帯端末３に送信する。そして、端末側制御部３１は、サーバ９から送られてくる情報を受信し、携帯端末３の現在位置が屋内であるか否かの判断をする（ステップＳ１２）。携帯端末３が屋内に位置しているか否かの判断は、例えば、サーバ９は、クラウドサーバ８２が有するマップ情報を基に、携帯端末３の位置情報に基づいて行う。
【００８４】
次に、サーバ９からの情報を基に、端末側制御部３１は、携帯端末３の現在位置が屋内に存在すると判断した場合（ステップＳ１２ではＹＥＳ）、記憶部３４に格納されているテーブルから、屋内の場面（場所）に対応する光量の準累積値Ｂｉを算出する（ステップＳ１３）。そして、ステップＳ４に戻り、端末側制御部３１は、準累積値Ｂｉに準累積値Ａｉと推定累積値Ｃｉとを加算し、光量の累積値Ｘを算出する。
【００８５】
また、ステップＳ１２において、サーバ９は、ステップＳ１１で受信した位置情報及び時刻情報に基づいて、携帯端末３の現在位置が屋外であると判断した場合、受信した位置情報及び時刻情報に対応する天候情報をクラウドサーバ８２から取得する。サーバ９は、この天候情報に基づく光量に関する情報から推定累積値Ｃｉを算出し、推定累積値Ｃｉの情報等を携帯端末３に送信する。そして、携帯端末３は、サーバ９から推定累積値Ｃｉの情報を受信する。これにより、端末側制御部３１は、サーバ９からの情報を基に、携帯端末３の現在位置が屋内に存在していないと判断する（ステップＳ１２ではＮＯ）。
【００８６】
なお、端末側制御部３１は、サーバ９から天候情報を受信し、記憶部３４に格納されているテーブルから、受信した天候情報に対応する光量から推定累積値Ｃｉを算出してもよい。
【００８７】
次に、携帯端末３は、サーバ９から受信した推定累積値Ｃｉを認定する（ステップＳ１４）。そして、ステップＳ４に戻り、端末側制御部３１は、推定累積値Ｃｉに準累積値Ａｉと準累積値Ｂｉとを加算し、光量の累積値Ｘを算出する。
【００８８】
実施の形態１に係る浴光システム１の動作について、使用者の９時から１５時までの６時間における光量の累積値を例にあげ、図３及び図４を用いて説明する。
【００８９】
図４は、実施の形態に係る浴光システム１の光量及び累積値と時間との関係を示す概念図である。図４の太い実線は、光量の累積値を示している。
【００９０】
図３及び図４に示すように、使用者は、例えば、オフィスで浴光装置７を用い、朝９時から１０時までの１時間浴光する。この場合、携帯端末３と浴光装置７との間で通信が確立している（ステップＳ１ではＹＥＳ）ため、浴光装置７から光量に関する情報を受信する（ステップＳ２）。浴光装置７から受信する光量に関する情報は、８００ｌｘの光を浴びているという情報である。携帯端末３は、浴光装置７から浴光を開始した開始信号を受信し、端末側制御部３１が浴光時間をカウントしてもよい。そして、浴光装置７を停止した場合には、浴光を終了した終了信号を受信し、端末側制御部３１が浴光時間のカウントを終了してもよい。
【００９１】
ここで、使用者は、８００ｌｘの光を１時間浴びている。このため、端末側制御部３１は、１時間後に、浴光装置７における光量の準累積値Ａｉにおいて最初に浴光した光量の累積値をＡ１とし、光量の準累積値Ａ１である８００ｌｘ・ｈを算出する（ステップＳ３）。端末側制御部３１は、光量の累積値Ｘ＝Ａ１である８００ｌｘ・ｈを算出する（ステップＳ４）。携帯端末３の表示部３３には、光量の累積値Ｘである８００ｌｘ・ｈが表示される（ステップＳ５）。そして、第１所定時刻及び第２所定時刻でないため（ステップＳ６ではＮＯ、ステップＳ７でもＮＯ）、ステップＳ１に戻る。
【００９２】
次に、使用者は、会議室に移動し、１０時から１１時までの１時間、照明装置５からの光を浴びる。この場合、携帯端末３と照明装置５との間で通信が確立している（ステップＳ１ではＹＥＳ）ため、照明装置５から光量に関する情報を受信する（ステップＳ２）。浴光装置７から光量に関する情報は、４００ｌｘの光を浴びているという情報である。携帯端末３は、上述の浴光装置７の場合と同様に、照明装置５から光を浴びている時間を測定してもよい。
【００９３】
ここで、使用者は、４００ｌｘの光を１時間浴びている。このため、端末側制御部３１は、１時間後に、照明装置５における光量の準累積値Ａｉにおいて２回目に浴光した光量の累積値をＡ２とし、光量の準累積値Ａ２である４００ｌｘ・ｈを算出する（ステップＳ３）。端末側制御部３１は、光量の累積値Ｘ＝Ａ１＋Ａ２である１２００ｌｘ・ｈを算出する（ステップＳ４）。携帯端末３の表示部３３には、光量の累積値Ｘである１２００ｌｘ・ｈが表示される（ステップＳ５）。そして、第１所定時刻及び第２所定時刻でないため（ステップＳ６ではＮＯ、ステップＳ７でもＮＯ）、ステップＳ１に戻る。
【００９４】
次に、使用者は、屋外に移動している１１時から１２時までの１時間、太陽からの光を浴びる（ステップＳ１２ではＮＯ）。この場合、携帯端末３と照明装置５との間で通信が確立していない（ステップＳ１ではＮＯ）ため、照明装置５から光量に関する情報を受信することができない。このため、端末側制御部３１は、光量の累積値Ｘ＝１２００ｌｘ・ｈであるデータは、記憶部３４に格納する。この間、サーバ９は、携帯端末３から受信した位置情報及び時刻情報から、天候情報を取得し、屋外における光量から推定累積値Ｃｉを算出（ステップＳ１４）し、推定累積値Ｃｉを携帯端末に送信する。
【００９５】
なお、端末側制御部３１は、記憶部３４に格納されているテーブルから、サーバ９から受信した天候情報に対応する光量から推定累積値Ｃｉを算出してもよい。
【００９６】
なお、携帯端末３は、携帯端末３と外部装置との間で通信が確立しなくなってから、端末側制御部３１が屋外における浴光時間をカウントしてもよい。そして、携帯端末３と外部装置との間で通信が確立してから、端末側制御部３１が屋外における浴光時間のカウントを終了してもよい。
【００９７】
ここで、使用者は、屋外で１００００ｌｘの光を１時間浴びている。このため、サーバ側制御部９２は、１時間後に、屋外における光量の推定累積値Ｃｉにおいて最初に浴光した光量の累積値をＣ１とし、累積値Ｃ１である１００００ｌｘ・ｈを算出する。携帯端末３は、累積値Ｃ１が１００００ｌｘ・ｈである情報を受信し、累積値Ｃ１を認定する（ステップＳ１４）。端末側制御部３１は、光量の累積値Ｘ＝Ａ１＋Ａ２＋Ｃ１である、１１２００ｌｘ・ｈを算出する（ステップＳ４）。携帯端末３の表示部３３には、光量の累積値Ｘである、１１２００ｌｘ・ｈが表示される（ステップＳ５）。そして、現時刻は、第１所定時刻及び第２所定時刻でないため（ステップＳ６ではＮＯ、ステップＳ７でもＮＯ）、ステップＳ１に戻る。
【００９８】
次に、使用者は、１２時から１４時までの２時間浴光する。この場合、携帯端末３と浴光装置７との間で通信が確立している（ステップＳ１ではＹＥＳ）ため、浴光装置７から光量に関する情報を受信する（ステップＳ２）。浴光装置７から光量に関する情報は、８００ｌｘの光を浴びている（光量の）情報である。
【００９９】
ここで、使用者は、８００ｌｘの光を２時間浴びている。このため、端末側制御部３１は、２時間後に、浴光装置７における光量の準累積値Ａｉにおいて３回目に浴光した光量の累積値をＡ３とし、光量の準累積値Ａ３である１６００ｌｘ・ｈを算出する（ステップＳ３）。端末側制御部３１は、光量の累積値Ｘ＝Ａ１＋Ａ２＋Ｃ１＋Ａ３である、１２８００ｌｘ・ｈを算出する（ステップＳ４）。携帯端末３の表示部３３には、光量の累積値Ｘである、１２８００ｌｘ・ｈが表示される（ステップＳ５）。
【０１００】
また、端末側制御部３１は、現在時刻を第１所定時刻（１４時の場合）であると判断する。また、端末側制御部３１は、現在における光量の累積値Ｘが１２８００ｌｘ・ｈであるため、例えば、所定値を１０００ｌｘ・ｈとしている場合、残光量を−１１８００ｌｘ・ｈと算出する。この場合、残光量は、所定値未満であると判断（ステップＳ６ではＮＯ）される。そして、第２所定時刻でないため（ステップＳ７でもＮＯ）、ステップＳ１に戻る。
【０１０１】
次に、使用者は、会議室に移動し、１４時から１５時までの１時間、照明装置５から光を浴びる。この場合、携帯端末３と照明装置５との間で通信が確立していない（ステップＳ１ではＮＯ）ため、照明装置５から光量に関する情報を受信することができない。このため、端末側制御部３１は、光量の累積値Ｘ＝１２８００ｌｘ・ｈであるデータは、記憶部３４に格納する。また、サーバ９から、屋外である旨の情報を受信していないため、端末側制御部３１は、屋内であると判断する（ステップＳ１２ではＹＥＳ）。この場合、端末側制御部３１は、記憶部３４に格納されているテーブルから、屋内の場面に対応する光量を認定（屋内における光量の準累積値Ｂｉを算出）する（ステップＳ１３）。本実施の形態では、例えば、会議室と同一の４００ｌｘの光を浴びていると認定する。
【０１０２】
なお、携帯端末３は、携帯端末３と外部装置との間で通信が確立しなくなってから、端末側制御部３１が屋内における浴光時間をカウントしてもよい。そして、携帯端末３と外部装置との間で通信が確立してから、端末側制御部３１が屋内における浴光時間のカウントを終了してもよい。
【０１０３】
ここで、使用者は、４００ｌｘの光を１時間浴びていると設定される。このため、端末側制御部３１は、１時間後に、屋内における光量の準累積値Ｂｉにおいて最初に浴光した光量の準累積値Ｂ１である４００ｌｘ・ｈを算出する（ステップＳ１３）。端末側制御部３１は、光量の累積値Ｘ＝Ａ１＋Ａ２＋Ｃ１＋Ａ３＋Ｂ１である、１３２００ｌｘ・ｈを算出する（ステップＳ４）。携帯端末３の表示部３３には、光量の累積値Ｘである、１３２００ｌｘ・ｈが表示される（ステップＳ５）。現在時刻は第１所定時刻を経過（本実施の形態では１５時）し、残光量は所定値未満であるため、ステップＳ６はＮＯとなる。そして、第２所定時刻（本実施の形態では１５時）となり（ステップＳ７ではＹＥＳ）となる。
【０１０４】
次に、端末側制御部３１は、累積値Ｘ＝１３２００ｌｘ・ｈが所定の閾値以上であるか否かを判断する。本実施の形態では、所定の閾値は、約３０００ｌｘの明るさの光を２時間浴びることが推奨されているため、１日の必要な光量として６０００ｌｘ・ｈとしている。端末側制御部３１は、累積値Ｘが所定の閾値以上であると判断（ステップＳ８ではＹＥＳ）する。
【０１０５】
そして、ステップＳ９では、端末側制御部３１は、浴光した光量の累積値Ｘを表示部３３に表示させる（ステップＳ９）。そして、このフローは、終了する。
【０１０６】
［作用効果］
次に、本実施の形態における浴光システム１、携帯端末３及び照明装置５の作用効果について説明する。
【０１０７】
上述したように、本実施の形態に係る浴光システム１は、設備に設置されている外部装置と、外部装置と通信を行う携帯端末３とを備え、使用者が浴光した光量を管理する。また、外部装置は、光量に関する情報を携帯端末３に送信する。そして、携帯端末３は、外部装置と通信が確立されている場合に、情報を外部装置から受信し、情報から光量の累積値Ｘを算出する端末側制御部３１と、端末側制御部３１が算出した累積値Ｘを表示する表示部３３とを有する。
【０１０８】
この構成によれば、携帯端末３が外部装置と通信が確立されている場合に、携帯端末３は、外部装置が検知した周囲の光量に関する情報を受信することができる。このため、携帯端末３では、使用者がセンサ（例えば照度センサ）などの装置を装着しなくても、光量の累積値Ｘを算出することができる。
【０１０９】
したがって、この浴光システム１を用いれば、使用者がセンサを装着することなく、実際に使用者が浴びている１日における総光量を算出することができる。また、この浴光システム１では、算出した光量の累積値Ｘを表示部３３に表示し、累積値Ｘを使用者に知らせることができる。
【０１１０】
また、本実施の形態に係る浴光システム１は、サーバ９と、サーバ９と通信を行う携帯端末３とを備え、使用者が浴光した光量を管理する。また、サーバ９は、携帯端末３から携帯端末３の位置情報及び位置情報に対応する時刻情報を取得する。さらに、サーバ９は、設備に設置されている外部装置と携帯端末３との間で通信が確立されていない場合に、位置情報及び時刻情報に対応する天候情報を外部から取得する。そして、サーバ９は、携帯端末３の位置情報、時刻情報及び天候情報から、光量の推定累積値Ｃｉを算出し、携帯端末３に推定累積値Ｃｉに関する情報を送信する。
【０１１１】
この構成によれば、携帯端末３と外部装置との間で通信が確立されていない屋外の場合でも、携帯端末３は、サーバ９から光量の推定累積値Ｃｉを得ることができる。
【０１１２】
また、本実施の形態に係る浴光システム１は、さらに、外部装置を備えている。また、外部装置は、光量に関する情報を携帯端末３に送信する。さらに、携帯端末３は、外部装置と通信が確立されている場合に、光量に関する情報を外部装置から受信し、光量に関する情報から準累積値Ａｉ、Ｂｉを算出する端末側制御部３１を有する。そして、端末側制御部３１は、推定累積値Ｃｉと準累積値Ａｉ、Ｂｉとを加算して累積値Ｘを算出する。
【０１１３】
この構成によれば、端末側制御部３１は、サーバ９から受信した推定累積値Ｃｉと準累積値Ａｉと準累積値Ｂｉとを合計することで、光量の累積値Ｘを算出することができる。このため、使用者が屋外に出ていても、使用者の１日における光量の累積値Ｘを算出することができる。
【０１１４】
また、本実施の形態に係る浴光システム１は、設備に設置されている照明装置５と、照明装置５と通信を行う携帯端末３とを備え、使用者が浴光した光量を管理する。また、照明装置５は、周囲の光量を検知する検知部５２と、検知部５２が検出した光量に関する情報を携帯端末３に送信する通信部５４とを有する。そして、携帯端末３は、照明装置５と通信が確立されている場合に、情報を照明装置５から受信し、情報から光量の累積値Ｘを算出する端末側制御部３１を有する。
【０１１５】
この構成によれば、携帯端末３が照明装置５と通信が確立されている場合に、携帯端末３は、検知部５２が照明装置５における周囲の光量を検知し、照明装置５から光量に関する情報を受信するため、使用者がセンサなどの装置を装着しなくても、光量の累積値Ｘを算出することができる。
【０１１６】
また、本実施の形態に係る浴光システム１は、照明装置５と、照明装置５と通信を行う携帯端末３とを備え、使用者が浴光した光量を管理する。また、照明装置５は、光源５１と、光源５１の光量に関する情報を算出する制御部５３と、制御部５３が算出した情報を送信する通信部とを有する。そして、携帯端末３は、照明装置５と通信が確立されている場合に、情報を照明装置５から受信し、情報から光量の累積値Ｘを算出する端末側制御部３１を有する。
【０１１７】
この構成によれば、携帯端末３が照明装置５と通信が確立されている場合に、携帯端末３は、照明装置５から光量に関する情報である準累積値Ａｉを受信するため、使用者がセンサなどの装置を装着しなくても、光量の累積値Ｘを算出することができる。
【０１１８】
また、本実施の形態に係る浴光システム１において、携帯端末３は、さらに、端末側制御部３１が算出した累積値Ｘを表示する表示部３３を有する。
【０１１９】
この構成によれば、算出した光量の累積値Ｘを表示部３３に表示するため、使用者は、に累積値Ｘを認識することができる。
【０１２０】
また、本実施の形態に係る浴光システム１において、表示部３３は、累積値Ｘが所定の閾値未満である場合に、累積値Ｘが所定の閾値未満であることを表示する。
【０１２１】
この構成によれば、表示部３３は、算出した光量の累積値Ｘが所定の閾値未満であることを表示する。このため、使用者は、自身が浴光した光量を認識することができるとともに、１日に必要な光量のうち、どの程度の光量が足りていないか（残光量：浴光が不十分であること）を認識することができる。
【０１２２】
また、本実施の形態に係る浴光システム１において、外部装置は、周囲の光量を検知する検知部５２を有している。
【０１２３】
この構成によれば、外部装置における周囲の光量を正確に検知することができる。
【０１２４】
また、本実施の形態に係る携帯端末３は、設備に設置されている外部装置と通信を行う。そして、携帯端末３は、外部装置と通信が確立されている場合に、外部装置が検知した光量に関する情報を外部装置から受信し、情報から光量の累積値Ｘを算出する端末側制御部３１と、端末側制御部３１が算出した累積値Ｘを表示する表示部３３とを備える。
【０１２５】
この構成によれば、携帯端末３が外部装置と通信が確立されている場合に、携帯端末３は、外部装置が検知した光量に関する情報を受信するため、使用者がセンサなどの装置を装着しなくても、光量の累積値Ｘを算出することができる。表示部３３は、算出した光量の累積値Ｘを表示するため、使用者は、自身が浴光した光量を認識することができる。
【０１２６】
また、本実施の形態に係る携帯端末３は、さらに、１日ごとの累積値Ｘに関する履歴情報を格納する記憶部を備えている。そして、端末側制御部３１は、記憶部に格納されている過去の履歴情報に基づいて、浴光を促すように表示部３３を介して表示する。
【０１２７】
この構成によれば、使用者は、表示部３３に表示された浴光を促す内容から、過去に浴光した光量を認識することができる。例えば、過去における１日に必要な光量が足りていない（残光量が存在していた）場合、使用者には、積極的に浴光しようとする誘因が働く。このため、使用者は、浴光装置７を用いるなどして、１日に必要な光量を得ることができる。その結果、この携帯端末３を用いれば、生体リズムを改善し易く、この携帯端末３を用い続けることで、生体リズムの改善をより期待することができる。
【０１２８】
また、本実施の形態に係る携帯端末３において、表示部３３は、累積値Ｘが所定の閾値未満である場合に、累積値Ｘが所定の閾値未満であることを表示する。
【０１２９】
この構成によれば、表示部３３は、算出した光量の累積値Ｘが所定の閾値未満であることを表示する。このため、使用者は、自身が浴光した光量を認識することができるとともに、１日に必要な光量のうち、どの程度の光量が足りていないか（残光量：浴光が不十分であること）を認識することができる。
【０１３０】
また、本実施の形態に係る照明装置５は、携帯端末３と通信を行う。そして、照明装置５は、光源５１と、周囲の明るさを検出する検知部５２と、検知部５２が検出した光源５１の光量に関する情報を算出する制御部５３と、制御部５３が算出した情報を携帯端末３に送信する通信部５４とを備える。
【０１３１】
この構成によれば、照明装置５における周囲の光量を正確に検知し、その光量を携帯端末３に送信することができる。このため、携帯端末３は、１日の光量における累積値Ｘをより確実に算出することができる。
【０１３２】
（その他変形例等）
以上、本発明に係る浴光システム、携帯端末及び照明装置について、実施の形態に基づいて説明したが、本発明は、上記実施の形態に限定されるものではない。
【０１３３】
例えば、上記実施の形態において、累積値が所定の閾値未満であることを使用者に報知する手段として、表示部を用いているが、報知部は、他にも、音を発することにより使用者が光量の累積値等を認識できる態様であってもよい。また、光量の累積値の報知は、表示部による表示と、音とを組み合わせてもよい。なお、音は、携帯端末に内蔵されている又は外付けされるスピーカー等を用いて実現することができる。
【０１３４】
また、上記実施の形態において、照明装置が複数存在し、複数の照明装置と通信が確立している場合では、携帯端末は、携帯端末の最も近くに位置している照明装置を選び、その照明装置から送信された光量に関する情報を用いて累積値を算出してもよい。
【０１３５】
また、上記実施の形態において、ＴＶは、周囲の光量を検知する検知部と、検知した光量に関する情報を送信する通信部等を有していてもよい。この場合、携帯端末は、ＴＶから光量に関する情報を受信し、累積値を算出してもよい。つまり、光量に関する情報の収集は、照明装置や浴光装置に限らない。
【０１３６】
また、上記実施の形態において、端末側制御部は、例えば、１５時（所定時刻の一例）よりも前の時刻（例えば１４時）になっても光量の累積値が所定値未満の場合には、使用者に浴光を促すような表示を行わないようにしてもよい。この場合、端末側制御部は、単に表示部に光量の累積値だけを表示させてもよい。
【０１３７】
また、上記実施の形態において、光源は、このような構成に限定されるものではなく、配線基板上にＬＥＤチップが直接的に実装されたＣＯＢ（Ｃｈｉｐ  Ｏｎ  Ｂｏａｒｄ）型のモジュールが用いられてもよい。また、光源が有する発光素子は、ＬＥＤに限定されるものではなく、例えば、半導体レーザ等の半導体発光素子、または、有機ＥＬ（Ｅｌｅｃｔｒｏ  Ｌｕｍｉｎｅｓｃｅｎｃｅ）や無機ＥＬ等のＥＬ素子等その他の固体発光素子であってもよい。
【０１３８】
その他、実施の形態に対して当業者が思いつく各種変形を施して得られる形態や、本発明の趣旨を逸脱しない範囲で実施の形態における構成要素及び機能を任意に組み合わせることで実現される形態も本発明に含まれる。
【符号の説明】
【０１３９】
１  浴光システム
３  携帯端末
５  照明装置（発光装置（外部装置））
７  浴光装置（発光装置（外部装置））
９  サーバ
３１  端末側制御部
３３  表示部（報知部）
３４  記憶部
５１、７１  光源
５２  検知部
５３、７３  制御部
５４、７４  通信部
【図１】
0006771147.tif 000002
【図２】
0006771147.tif 000003
【図３】
0006771147.tif 000004
【図４】
0006771147.tif 000005